(57)【特許請求の範囲】
【請求項１】
壁面１６に取付けられる背面板１２を有し、水平な長手方向に細長く延び、金属材料から成り、押出成形によって長尺材として製造され、医療用配管配線接続端子が収納されるフレーム２と、
接続端子を露出する開口部６を有し、フレーム２を覆うカバー３とを含む医療用配管配線接続端子収納ユニットにおいて、
前記カバー３は、
開口部６の上下に一対の金属製カバー部材２５，２６と、
カバー部材２５，２６の端部が固定され、開口部６の左右に一対の側板２８，２９とを含み、
前記一対の側板２８，２９は、前記長手方向に垂直な鉛直面である対称面２７に関して対称に構成され、
背面板１２の上部１５の壁面１６側に屈曲して延びる頂部４４と、壁面１６との間に支持凹所４３が形成され、
各側板２８，２９に、前記長手方向に延びて支持凹所４３に嵌まり込む支持凸部４１がそれぞれ形成され、
背面板１２の下部に、合成樹脂材料から成る係止爪部材５２の取付基部５３が取付けられ、
この係止爪部材５２は、
取付基部５３から前方に延びる立上り部５８と、
立上り部５８の端部に連なる係止爪５９とを有し、
係止爪５９は、
立上り部５８から下方にかつ背後に向かって臨む係止面６０と、
係止面６０から円弧状に形成された外周部６６とを有し、
前記一対のカバー部材２５，２６のうち、下のカバー部材２６の下部６２には、前記長手方向に間隔をあけて複数の各切欠き６４が係止爪５９に対応して形成されて、下のカバー部材２６と壁面１６との間に隙間６３を形成し、
下のカバー部材２６の下部６２に形成される係止部４７は、
係止爪５９よりも背後で係止爪５９に弾発的に当接し、前記長手方向に垂直な鉛直平面内で丸みをおびた係止端部４９と、
係止端部４９の下部に連なり、係止爪５９の下方への変位を制限する下制限部５０とによって、
上方にかつ前方に向かって臨んで形成される凹部４８を有し、
カバー３の下部６２が壁面１６に向かって角変位するとき、係止爪５９の外周部６６に係止部４７の係止端部４９が接触して、係止爪部材５２の弾発力によって相互に変位して、その係止爪５９の係止面６０の端部６１が前記凹部４８に到達して係止状態となり、
下のカバー部材２６の下部６２が、前記隙間６３で下方の外方７３に弾発的に変形されることによって、係止爪５９の係止面６０から係止部４７の係止端部４９が下方に変位して係止爪５９と係止部４７との係止状態が解除され、この係止状態が解除されることによって、前記カバー３の下部が前記壁面１６よりも前方へ変位するように、前記カバー３が支持凸部４１による水平な軸線まわりに揺動可能になることを特徴とする医療用配管配線接続端子収納ユニット。
【請求項２】
請求項１の医療用配管配線接続端子収納ユニットを準備し、
壁面１６にフレーム２を取付け、
フレーム２の支持凹所４３に、カバー３の支持凸部４１を嵌め込んで支持した状態で、カバー３の下部６２を壁面１６に向かって角変位し、これによって係止爪５９と係止部４７とを前記係止状態とし、
先端部６８と、この先端部６８に連なる基端部６９が屈曲部７０で連なり、全体の形状がほぼＬ字状の係止解除工具６７を準備し、
係止解除工具６７の先端部６８を、カバー３の前記隙間６３からカバー３内に挿入し、
係止解除工具６７の屈曲部７０を壁面１６に当接したままで、前記基端部６９の屈曲部７０から遠去った部分７１を壁面１６に近接する方向に押すことによって、カバー３の下部６２を弾発的に変形させて係止爪５９と係止部４７との係止状態を解除することを特徴とする医療用配管配線接続端子収納ユニットの施工方法。
【発明の詳細な説明】
【０００１】
【発明の属する技術分野】
本発明は、治療室および一般病室などにおいて好適に使用され、治療に必要なたとえば酸素、笑気および空気などの医療用ガスを供給するアウトレットおよび電力を供給する強電用接続端子、さらにナースコールなどの電気信号の弱電用接続端子を集中して収納する医療用配管配線接続端子収納ユニットに関する。
【０００２】
【従来の技術】
このような医療用配管配線接続端子収納ユニットでは、医療用ガスならびに強電用および弱電用の各種接続端子が選択して収納される。先行技術では、各種の接続端子を収納するにあたり、現物合わせ加工を行い、取付けているので、収納ユニットの横の長さが同一であっても、互換性がなく、またその収納ユニットの構成要素の保管、管理に手間、工数がかかるという問題がある。
【０００３】
【発明が解決しようとする課題】
本発明の目的は、構成要素の数を低減し、これによって施工を容易にするとともに、組立工数を低減することができるようにした医療用配管配線接続端子収納ユニットを提供することである。
【０００４】
【課題を解決するための手段】
本発明は、壁面１６に取付けられる背面板１２を有し、水平な長手方向に細長く延び、金属材料から成り、押出成形によって長尺材として製造され、医療用配管配線接続端子が収納されるフレーム２と、
接続端子を露出する開口部６を有し、フレーム２を覆うカバー３とを含む医療用配管配線接続端子収納ユニットにおいて、
前記カバー３は、
開口部６の上下に一対の金属製カバー部材２５，２６と、
カバー部材２５，２６の端部が固定され、開口部６の左右に一対の側板２８，２９とを含み、
前記一対の側板２８，２９は、前記長手方向に垂直な鉛直面である対称面２７に関して対称に構成され、
背面板１２の上部１５の壁面１６側に屈曲して延びる頂部４４と、壁面１６との間に支持凹所４３が形成され、
各側板２８，２９に、前記長手方向に延びて支持凹所４３に嵌まり込む支持凸部４１がそれぞれ形成され、
背面板１２の下部に、合成樹脂材料から成る係止爪部材５２の取付基部５３が取付けられ、
この係止爪部材５２は、
取付基部５３から前方に延びる立上り部５８と、
立上り部５８の端部に連なる係止爪５９とを有し、
係止爪５９は、
立上り部５８から下方にかつ背後に向かって臨む係止面６０と、
係止面６０から円弧状に形成された外周部６６とを有し、
前記一対のカバー部材２５，２６のうち、下のカバー部材２６の下部６２には、前記長手方向に間隔をあけて複数の各切欠き６４が係止爪５９に対応して形成されて、下のカバー部材２６と壁面１６との間に隙間６３を形成し、
下のカバー部材２６の下部６２に形成される係止部４７は、
係止爪５９よりも背後で係止爪５９に弾発的に当接し、前記長手方向に垂直な鉛直平面内で丸みをおびた係止端部４９と、
係止端部４９の下部に連なり、係止爪５９の下方への変位を制限する下制限部５０とによって、
上方にかつ前方に向かって臨んで形成される凹部４８を有し、
カバー３の下部６２が壁面１６に向かって角変位するとき、係止爪５９の外周部６６に係止部４７の係止端部４９が接触して、係止爪部材５２の弾発力によって相互に変位して、その係止爪５９の係止面６０の端部６１が前記凹部４８に到達して係止状態となり、
下のカバー部材２６の下部６２が、前記隙間６３で下方の外方７３に弾発的に変形されることによって、係止爪５９の係止面６０から係止部４７の係止端部４９が下方に変位して係止爪５９と係止部４７との係止状態が解除され、この係止状態が解除されることによって前記カバー３の下部が前記壁面１６よりも前方へ変位するように、前記カバー３が支持凸部４１による水平な軸線まわりに揺動可能になることを特徴とする医療用配管配線接続端子収納ユニットである。
【０００５】
本発明に従えば、接続端子が収納されるフレームをカバーで覆い、フレームの下部に取付けられた係止爪を、カバーの下部に取付けられた係止部に係止する。これによってフレームへのカバーの取付作業が容易になるとともに、先行技術におけるビス止めの構成に比べて構成要素の数を低減することができ、現場での施工作業が容易になり、組立工数を低減することができる。
【０００６】
係止爪と係止部との相互の離間によって、その係止状態を容易に解除することができ、これによって保守点検作業が容易である。
【０００８】
本発明に従えば、フレームの上部に形成された支持凹所に、カバーの上部の支持凸部を嵌合して支持し、したがってたとえば病室などの壁面に予め取付けられたフレームにカバーを容易に支持し、これによって一人の作業者で施工作業を容易に行うことができる。
【０００９】
さらにカバーの下部を、壁面から前方に変位して揺動可能であるので、フレームに取付けてある係止爪とカバーの係止部とを係止する作業が可能であり、またその係止状態の解除が容易であり、カバーをフレームから取外す保守点検時の作業も容易となる。
【００１１】
本発明に従えば、カバーは上下一対のカバー部材と、左右一対の側板が枠状に組合わされて構成され、現場でフレームに取付けられるので、施工作業が容易である。
【００１２】
さらに本発明に従えば、側板に支持凸部が形成され、この支持凸部がフレームの支持凹所に嵌合してカバーがフレームに支持される。したがってフレームにカバーを装着する作業性が簡略化される。
本発明は、請求項１の医療用配管配線接続端子収納ユニットを準備し、
壁面１６にフレーム２を取付け、
フレーム２の支持凹所４３に、カバー３の支持凸部４１を嵌め込んで支持した状態で、カバー３の下部６２を壁面１６に向かって角変位し、これによって係止爪５９と係止部４７とを前記係止状態とし、
先端部６８と、この先端部６８に連なる基端部６９が屈曲部７０で連なり、全体の形状がほぼＬ字状の係止解除工具６７を準備し、
係止解除工具６７の先端部６８を、カバー３の前記隙間６３からカバー３内に挿入し、
係止解除工具６７の屈曲部７０を壁面１６に当接したままで、前記基端部６９の屈曲部７０から遠去った部分７１を壁面１６に近接する方向に押すことによって、カバー３の下部６２を弾発的に変形させて係止爪５９と係止部４７との係止状態を解除することを特徴とする医療用配管配線接続端子収納ユニットの施工方法である。
本発明に従えば、本件収納ユニットを治療室および一般病室などの壁面に取付けて施工するにあたり、まずフレームを壁面に取付け、そのフレームの支持凹所に、カバーの支持凸部を嵌合して支持した状態とし、その後、カバーの下部を壁面に近付くように角変位し、フレームの係止爪とカバーの係止部とを係止状態とする。こうしてフレームにカバーを取付ける作業が容易である。
保守点検のためにカバーをフレームから取外すにあたっては、ほぼＬ字状の係止解除工具を準備し、カバーの隙間から係止解除工具の先端部を挿入し、カバーの下部を弾発的に変形させて、係止爪と係止部との係止状態を解除する。したがってカバーをフレームから取外す作業もまた、容易である。
【００１３】
【発明の実施の形態】
図１は、本発明の実施の一形態の全体の構成を簡略化して示す斜視図である。医療用配管配線接続端子収納ユニット１は基本的に、フレーム２と、このフレームを覆うカバー３とフレーム２を治療室または一般病室などの建物の壁面に固定するための取付部材４などを含む。フレーム２は、横の（すなわち水平な）長手方向に細長く延び、接続端子５が収納される。カバー３は、接続端子５を露出する開口部６を有する。
【００１４】
図２は、図１に示される医療用配管配線接続端子収納ユニット１の正面図である。ユニット１に収納される接続端子は、医療用ガス、たとえば酸素、笑気ガスおよび空気などの接続端子および真空吸引をする端子などを含み、これらの端子５は、カバー装置７で覆われている状態が示される。さらにこのフレーム２には、交流電源のコンセントである強電用接続端子５ａ、ナースコールスイッチなどの信号線の弱電用接続端子５ｂを含む。さらに患者のネームプレート８、起伏可能な吊り具９が設けられる。さらに患者の貴重品などの小物類を収納する収納庫１０が備えられる。参照符５ａ，５ｂなどは、参照符５で総括的に示すことがある。図１に示されるフレーム２に備えられた接続端子５は、図２に示される接続端子５ａ，５ｂ、カバー装置７、ネームプレート８、吊り具９および収納庫１０などを備えたフレーム２とは異なっており、本発明では、このような収納ユニット１は、各種の用途に変形して用いることができる。フレーム２の接続端子５などが配置されない個所は、ほぼ平板状のパネル１１が取付けられる。
【００１５】
図３は、図１に示される収納ユニット１の縦断面図である。フレーム２は基本的に、背面板１２と、背面板１２から前方（図１および図３の左方）に突出する上仕切板１３と、上仕切板１３の下方で背面板１２から前方に突出する下仕切板１４とを含む。背面板１２の上部１５には壁面１６から離間した凹所１７が形成される。この凹所１７内には、前記上部１５から後方（図１および図３の右方）になるにつれて下方に傾斜した係合片１８が形成される。このフレーム２は、たとえばアルミニウムまたはその合金などの金属材料から成り、押出成形によって長尺材として製造される。取付部材４は、壁面１６にビスなどが挿通されて固定される取付部１９と、取付部１９の上端部から前方（図３の左方）になるにつれて上方に傾斜して延びる係合受部２０とを有する。係合受部２０上に係合片１８が乗って係合することによって、フレーム２が壁面１６に固定される。背面板１２の上部１５と上仕切板１３とによって上収納空間２１が形成される。背面板１２と上下の仕切板１３，１４によって中間収納空間２２が形成される。背面板１２と下仕切板１４とによって下収納空間２３が形成される。
【００１６】
図４は、カバー３の分解した状態を示す正面図である。カバー３は、長手方向（図４の左右方向）に平行な水平面であり第１対称面２４に関してほぼ対称な開口部６の上下の一対のカバー部材２５，２６と、カバー３の長手方向に垂直な鉛直面である第２対称面２７に関して対称な開口部６の左右の一対の側板２８，２９とを有する。カバー部材２５，２６はアルミニウムまたはその合金などの金属製であって押出成形によって製造される。側板２８，２９は、たとえばＡＢＳ樹脂などの合成樹脂製であり、射出成形によって製造される。カバー部材２５，２６と側板２８，２９とは、接着剤などによって一体的に固定される。
【００１７】
図５は、カバー３の内方から見た側板２８の正面図である。図６は図５の切断面線ＶＩ−ＶＩから見た断面図であり、図７は図５の切断面線ＶＩＩ−ＶＩＩから見た断面図であり、図８は図５の切断面線ＶＩＩＩ−ＶＩＩＩから見た断面図であり、図９は図５の切断面線ＩＸ−ＩＸから見た断面図である。側板２８は、その前周縁部で屈曲した覆い部３１が形成され、また後周縁部にはわずかな覆い部３２が形成される。覆い部３１の内方には、カバー部材２５，２６を挟持して取付ける取付支持片３３，３４；３５，３６が形成される。図７の挟持溝３６ａにはカバー部材２６の端部が嵌まり込み、図９の挟持溝３３ａにはカバー部材２６の端部が嵌まり込む。
【００１８】
側板２８の上部には、支持凸部４１が、形成される。
【００１９】
図１０は、側板２８に形成される支持凸部４１の拡大正面図である。図１１は、図１０の切断面線ＸＩ−ＸＩから見た断面図である。支持凸部４１は、フレーム２の長手方向（図５および図１０の紙面に垂直方向）に延びて形成される。覆い部３１と支持凸部４１との間には、カバー部材２５の長手方向端部が嵌まり込む挟持溝４２が形成される。支持凸部４１は、図３に示されるように、背面板１２の上部１５に形成された壁面１６との間の支持凹所４３に嵌まり込んで長手方向に平行な水平軸線まわりに角変位することができる。もう１つの側板２９もまた、側板２８と前述のように前記第２対称面２７に関して、対称に構成される。支持凹所４３は、背面板１２の上部１５の壁面１６側に屈曲して延びる頂部４４と、前記壁面１６との間に形成される。支持凸部４１が、支持凹所４３に嵌合して支持され、これによってカバー３の下部が前記壁面１６よりも後述の図１８の参照符４５で示されるように前方（図３および図１８の左方）へ変位するように、カバー３が横の（すなわち水平な）軸線まわりに揺動可能になる。
【００２０】
図１２はカバー部材２６の側面図であり、図１３は図１２のセクションＸＩＩＩの拡大側面図である。カバー部材２６の下部には、係止部４７が形成される。この係止部４７は、上方にかつ前方に向かって臨む凹部４８を有する。係止部４７は、係止端部４９と、係止端部４９の下部に連なる下制限部５０とを有する。カバー部材２６と下制限部５０との間には、嵌入溝５１が形成される。
【００２１】
図１４は、図１２のセクションＸＩＶの拡大側面図である。カバー部材２６には、内面から隆起した一対の突起１２２，１２３がカバー部材２６の長手方向（図１２および図１４の紙面に垂直方向）に沿って延びる。これらの突起１２２，１２３によって、固定用溝１２１が形成される。カバー３の開口６側の突起１２２には、支持突起１２４が形成される。この支持突起１２４は、下仕切板１４の第１前端部７７における角変位空間８０よりも下方に突出した受突起１２５上に当接して支持される。もう１つのカバー部材２５もまた、カバー部材２６と同様に構成され、このカバー部材２５の支持突起１２４は、上仕切板１３の図２０に示される保持体８５に形成された受突起１２６に当接して支持される。照明部材１１６の一端部１１８を嵌入溝５１に嵌入した状態で、タッピングビス１２０を用いてカバー部材２６に固定することができるので、作業性が良好である。もう１つの照明部材１１５に関してもまた、照明部材１１６と同様に構成される。
【００２２】
図１５はフレーム２の下部に設けられる係止爪部材５２の側面図であり、図１６は係止爪部材５２の正面図である。係止爪部材５２は、背面板１２の下仕切板１４よりも下方に嵌合して取付けられる。この係止爪部材５２は、たとえばＡＢＳ樹脂などの合成樹脂材料から成り、弾発性を有する。係止爪部材５２の取付基部５３は、図１５に明らかに示されるようにその断面がほぼＨ字状であり、背面板１２に形成された挿入孔５４（後述の図１７参照）に拡大部５６を嵌め込んで背面板２の長手方向に延びるスリット５５にずらすことによって、このスリット５５に連結支持部５７が嵌まり込み、これによって係止爪部材５２が背面板１２に取付けられる。取付基部５３には垂直に、したがって前方（図１５の左方）に延びる立上り部５８が連なり、その立上り部５８の端部に係止爪５９が連なる。係止爪５９の係止面６０は、立上り部５８から下方にかつ背後（図１５の右方）に向かって、すなわち壁面１６に向かって臨む。
【００２３】
前述の図１３に示される係止部４７の凹部４８には、係止爪５９が係止する。係止爪５９と係止部４７との図１３の上下方向への相互の離間によって、係止状態が解除されることができる。
【００２４】
係止部４７の係止端部４９は、係止爪５９の係止面６０よりも背後（図１３の右方）にあり、係止爪５９に弾発的に当接する。この係止端部４９は、長手方向（図１３の紙面に垂直方向）に垂直な仮想平面（すなわち図１３の紙面である鉛直平面）内で丸みをおびた形状を有する。これによって係止爪５９の係止面６０の端部６１が、丸みをおびた係止端部４９に案内されて、凹部４８に円滑に到達することができる。この係止部４７の下制限部５０は、係止端部４９の下部に連なる。下制限部５０は、係止爪５９の前記端部６１が下方に変位することを制限する。これによってカバー部材２６の下部６２（図１３参照）が下方に弾発的に変位されたとき、係止爪５９の係止面６０が係止端部４９から離脱して係止状態を解除することが容易になる。
【００２５】
カバー３のカバー部材２６には、壁面１６の間に隙間６３を形成するための後方（図１３の右方）に開放した切欠き６４が形成される。この切欠き６４は、長手方向に間隔をあけて複数（たとえばこの実施の形態では図１７に明らかに示されるように合計３）形成される。各切欠き６４は、係止爪５９に対応する。
【００２６】
本件収納ユニット１を壁面１６に取付けて施工するにあたっては、まず壁面１６に取付部材４の取付部１９をビスなどを用いて壁面１６に、水平に横に延びるように固定する。次にフレーム２の係合片１８を、取付部材４の係合受部２０に係合し、こうしてフレーム２を壁面１６に固定する。
【００２７】
その後カバー３の側板８に形成されている支持凸部４１を、フレーム２の支持凹所４３に嵌合して支持した状態とする。このことはもう１つの側板２９に関しても同様である。
【００２８】
図１８は、カバー３をフレーム２に取付けて施工し、または保守点検のためにカバー３をフレーム２から取外す状態を示す断面図である。支持凹所４３に支持凸部４１が嵌合してカバー３が支持された状態で、カバー３の下部６２を壁面１６に向かって矢符６５のように角変位する。これによって係止爪５９の係止面６０から円弧状に形成された外周部６６に係止部４７の係止端部４９が接触してカバー部材２６および係止爪部材５２の弾発力によって相互に変位し、このカバー３を矢符６５の方向にさらに押し込むことによって、図３および図１８に示されるように係止爪５９と係止部４７とが係止して係止状態になる。こうしてカバー３をフレーム２に取付ける施工作業が完了する。
【００２９】
接続端子５などの保守点検のためにカバー３をフレーム２から取外すにあたっては、まず係止解除工具６７を準備する。この係止解除工具６７は、先端部６８と、この先端部６８に連なる基端部とがほぼ垂直に屈曲部７０で連なり、全体の形状がほぼＬ字状に形成される。係止解除工具６７の先端部６８を、切欠き６４によって形成された隙間６３からカバー３内に挿入し、係止解除工具６７の屈曲部７０を壁面１６に当接したままで、その基端部６９の屈曲部７０から遠去かった部分７１を、壁面１６に近接する方向７２に押す。したがってカバー３のカバー部材２６の下部６２が、先端部６８によって下方の外方７３に弾発的に変形される。したがって係止爪５９の係止面６０から係止部４７の係止端部４９が図１３および図１８の下方に変位し、係止爪５９と係止部４７との係止状態が解除される。これによってカバー３を、図１８の矢符６５とは逆方向に揺動し、カバー３をフレーム２から取外すことができる。
【００３０】
図１９は、下仕切板１４の拡大した側面図である。下仕切板１４の第１前端部７７には基本的に、第１前支持部７８と、取付支持体７９とが形成される。取付支持体７９は、第１前支持部７８に連なってその第１前支持部７８の下部で角変位空間８０を形成する。この取付支持体７９は、角変位空間８０内に下方に臨む第１支持部８１と、角変位空間８０の前方（図１９の左方）でかつ第１支持部８１よりも下方に形成される第２支持部８２とを含む。前支持部７８と第２支持部８２との前後方向（図１９の左右方向）の間隔Ｌ１は、第１および第２支持部８１，８２の上下の間隔Ｌ２と等しく、これらの間隔Ｌ１，Ｌ２は、パネル１１の厚みＬ１０に等しい（Ｌ１０＝Ｌ１＝Ｌ２）。
【００３１】
図２０は、上仕切板１３の拡大側面図である。上仕切板１３の第２前端部８３には、第２前支持部８４と、第２前支持部８４の上方に連なる保持体８５とが形成される。保持体８５には、保持用凹溝８６が、前方（図２０の左方）に臨んで形成される。この保持用凹溝８６は、ナット案内部８７と、そのナット案内部８７の前方に形成される抜止め部８８とを含む。
【００３２】
図２１は、上仕切板１３の保持体８５に形成された保持用凹溝８６に収納されるナット８９と介在片９０とを示す斜視図である。ナット８９はその軸線に直角な断面が六角形の外形を有し、ナット案内部８７に嵌め込まれる。複数のナット８９の間隔は、これらのナット８９間に配置される介在片９０によって保たれる。この介在片９０は、ナット案内部８７に挿入され、ナット８９間の距離を、予め定める値に保つ。
【００３３】
再び図３を参照して、パネル１１は、接続端子５が臨む透孔が形成され、または接続端子５が取付けられる装着部９１と、この装着部９１の下部の立上り部９２に連なる下取付部９３と、立上り部９４に連なる上取付部９５とを含む。パネル１１をフレーム２に取付け、または取外すにあたっては、このパネル１１の下端部である下取付部９３が下仕切板１４の第１前端部７７に形成された角変位空間８０内に嵌まり込んでこのパネル１１の上端部である第２前端部８３が前方に後述の図２７に示されるように突出するように、揺動可能にされる。このパネル１１が図２７の参照符９６で示されるようにほぼ水平に倒されて前方に突出した姿勢において、パネル１１が、フレーム２から脱落するおそれはない。このときパネル１１の下取付部３は、図１９に示されるように第１支持部８１と第２支持部８２とによって支持される。
【００３４】
パネル１１をボルト９７を用いてフレーム２に固定するにあたっては、後述の図２７の前方に突出した姿勢９６を有するパネル１１を垂直に起立した姿勢とし、パネル１１の上取付部９５に予め挿通したボルト挿通孔に、ボルト９７を挿通し、上仕切板１３の保持体８５の保持用凹溝８６に挿入されたナット８９に、ボルト９７を螺合する。これによってパネル１１の下取付部９３は、第１前端部７７の第１前支持部７８に当接し、またパネル１１の上取付部９５は、保持体８５の第２前支持部８４に当接し、フレーム２に強固に固定される。
【００３５】
図２２は、下仕切板１４の図１９におけるセクションＸＸＩＩの拡大側面図である。下仕切板１４には、背面板１２寄りで、フレーム２の長手方向（図２２の紙面に垂直方向）に延びる保持部９９が形成される。この保持部９９は、下仕切板１４に垂直である係止端部１００と、係止端部１００よりも前方（図２２の左方）で、後方（図２２の右方）になるにつれて中間収納空間２２内に隆起した丸みを帯びた外周部１０１とを有する。
【００３６】
図２３は、スペーサ１０２の側面図である。図２４（１）はスペーサ１０２の正面図であり、図２４（２）はスペーサ１０２の底面図であり、図２４（３）は図２４（１）の切断面線Ａ２４−Ａ２４から見た断面図である。さらに図２５は、スペーサ１０２の背面図である。これらの図面を参照して、スペーサ１０２は、横に隣接するパネル１１相互間に介在され、これらのパネル１１間の隙間を塞ぎ、中間収納空間２２にごみなどの異物が侵入することを防ぐ。スペーサ１０２は、パネル１１の端面間に配置される突条１０３と、この突条１０３にパネル１１の背後（図２３の右方）で、すなわち中間収納空間２２側で、フレーム２の長手方向両方向（図２３の紙面に垂直方向、図２４（１）、図２４（２）および図２５の左右方向）に突出して連なる一対の側方突片１０４とを含む。スペーサ１０２の下端部は、図１９に関連して前述した下仕切板１４の取付支持体７９の角変位空間８０に嵌まり込んで、スペーサ１０２の上端部１０６が、図２７に示されるパネル１１と同様に前方に突出するように揺動可能であり、これによってスペーサ１０２がフレーム２から脱落することが防がれる。
【００３７】
スペーサ１０２の上端部１０６には、一対の嵌合片１０７が形成される。
【００３８】
図２６はスペーサ１０２の上端部１０６に形成された嵌合片１０７の拡大した側面図である。嵌合片１０７は、図２０に示される上仕切板１３の保持体８５に形成された保持用凹溝８６に着脱可能に弾発的に嵌合する。嵌合片１０７は、図２３および図２３および図２６に明らかに示されるように、上下に間隔をあけて、背後（図２３および図２６の右方）に突出して形成された一対の突片１０８から成る。突片１０８の先端部には、上下の外側方に突出した凸部１０９が形成される。このスペーサ１０２は、たとえばＡＢＳ樹脂などの合成樹脂から成る。突片１０８は、図２０の保持用凹溝８６における抜止め部８８の内面に、スペーサ１０２の弾発力で当接してスペーサ１０２がフレーム２に保持される。突片１０８の長さＬ４（図２６参照）は、保持用凹溝８６の抜止め部８８の幅Ｌ３（図２０参照）に等しい（Ｌ４＝Ｌ３）。
【００３９】
スペーサ１０２の下端部１０５は、下仕切板１４の第１前端部における第１前支持部７８に当接し、また上端部１０６は、上仕切板１３の第２前端部８３における第２前支持部８４に当接し、これらの第１および第２前端部７７，８３との間にわたってスペーサ１０２が配置されてフレーム２に取付けられる。
【００４０】
スペーサ１０２の突条には、図２５に示されるように背後に開放した嵌合溝１１０が形成される。
【００４１】
図２７は、本件収納ユニット１の縦断面図である。図２７では、前述のようにパネル１１が前方に倒された施工、保守点検時の状態が参照符９６で示される。さらに上下の収納空間２１，２３には、白熱灯または蛍光灯１１２などの光源１１１，１１２が収納される。これらの光源１１１，１１２を覆うカバー部材２５，２６には、透孔１１３，１１４が形成される。透孔１１３，１１４には、照明部材１１５，１１６が配置される。照明部材１１５，１１６は、透光性材料、たとえばアクリル樹脂などの合成樹脂材料から成る。照明部材１１６は、透孔１１４に嵌まり込んで光源１１２からの光を外部に放射する照明部１１７を有し、この照明部１１７には、下収納空間２３内に延びる外周部を有する。照明部材１１６の前記外周部である一端部１１８は、特に図１３に明瞭に示されるように、係止部４７付近における嵌入溝５１に嵌入されて保持される。照明部材１１６の前記外周部の他端部１１９には、タッピングビス１２０が挿通する。このタッピングビス１２０は、カバー部材２６の特に図１４に示される固定用溝１２１に螺着される。
【００４２】
図２８はフレーム２とその付近を示す斜視図であり、図２９はフレーム２とその付近の構成を示す縦断面図である。フレーム２の背面板１２と上下の仕切板１３，１４によって形成される中間収納空間２２ａ，２２ｂ，２２ｃ（総括的に参照符２２で示すことがある）を長手方向に分割するためにセパレータ１２７と、セパレータ片１２８とが用いられる。これらのセパレータ１２７は、上下の仕切板１３，１４間で上下に延び、かつ、背面板１２とパネル１１との間で前後（図２９の左右）に延びる。セパレータ１２７は、強電用接続端子５ａが収納される中間収納空間２２ａ，２２ｃと、弱電用接続端子５ｂ（前述の図２参照）が収納される中間収納空間２２ｂとの間を仕切るために用いられ、さらにまた配線用のこれらの接続端子５ａ，５ｂを収納する中間収納空間２２ａ，２２ｂ，２２ｃと、医療用ガスなどのための配管用接続端子５ｄ（前述の図１８参照）との間を仕切るために設けられる。スペーサ１０７は、フレーム２の長手方向（図２８の左右方向、図２９の紙面に垂直方向）に変位して設定可能である。
【００４３】
図３０はセパレータ１２７の側面図であり、図３１はセパレータ１２７の正面図であり、図３２はセパレータ１２７の平面図である。セパレータ１２７の下部には、電線１２９または管路が挿通される前方（図３０の左方）に開放した切欠き１２９が形成される。セパレータ１２７の左右両側部には、切欠き１２９の上方で上下一対の挟持片１３１，１３２が突設される。
【００４４】
再び図２８を参照して、セパレータ片１２８は、横板１３３と縦板１３４とを有する。セパレータ片１２８は、これらの横板１３３と縦板１３４とがフレーム２の長手方向に垂直な断面がほぼＬ字状になるように組合わされて一体的に構成される。
【００４５】
セパレータ片１２８の横板１３３の長手方向端部（図２８の左右の端部）は、一対の挟持片１３１，１３２によって挟持される。縦板１３４は、切欠き１３０の開放した前端部付近を、図２９に示されるように閉じる。
【００４６】
一対の挟持片１３１，１３２のうち、上の挟持片１３１は、前後（図３０の左右方向）に延び、かつ、その前後の両端部には、下方に突出した凸部１３５，１３６がそれぞれ形成される。凸部１３５，１３６は、下方に凸であり、その外周面は丸みを帯びて形成され、したがって横板１３３の図２８における中間収納空間２２ｂへの挿入を円滑にすることができる。
【００４７】
下の挟持片１３２は、上の挟持片１３１の凸部１３５，１３６の前後方向のほぼ中央位置に突設される。この挟持片１３２は挟持片１３１に臨む面が上に凸であって丸みを帯びて形成され、この実施の形態ではその挟持片１３２は直円柱状のピン状に構成され、これによって横板１３３の挿入を円滑に行うことができる。こうして凸部１３５，１３６と挟持片１３２との間で横板１３３が主として挟持片１３１の弾発力によって挟持されて、支持されることができる。
【００４８】
セパレータの上部または下部のいずれか少なくとも一方（この実施の形態では上部および下部の両者）には、横の両側方に延びる支持板１３７，１３８がそれぞれ形成される。これらの支持板部１３７，１３８は、対向する下仕切板１４および上仕切板１３に当接する。したがってセパレータ１２７が、フレーム２の長手方向に摺動して位置調整を行う際に、そのセパレータ１２７が倒れてしまうことがなく、位置決めを円滑に行うことができるとともに、作業性が良好である。
【００４９】
セパレータ１２７の前方端部は、薄肉に形成される。この端部１４０は、前述の図２４（３）および図２５に示されるスペーサ１０２の嵌合溝１１０に着脱可能に嵌合する。これによってスペーサ１２７が、フレーム２の長手方向に不所望にずれて変位することが防がれる。
【００５０】
図３３は、図３０のセクションＡ３３の拡大側面図である。セパレータ１２７には、図２２に関連して前述した保持部９９に弾発的に係止する保持爪１４２が形成される。この保持爪１４２は、セパレータ１２７の支持板１３８よりも後方（図３０、図３２および図３３の右方）に形成される。保持爪１４２は、基端部１４３を介して支持板部１３８に連なる。保持爪１４２の下方には、この保持爪１４２と基端部１４３が下方に弾発的に撓むことを可能にするための間隙１４４が形成される。スペーサ１２７の下にもまた、保持爪１４２と上下に対称な保持爪１４５が形成される。保持爪１４５は、図２２の保持部９９に形成された係止端部１００に弾発的に係止して保持される。係止爪１４２は、上仕切板１３の背面板１２寄りに形成されたもう１つの保持部１４６の係止端部１４７に弾発的に係止する。係止部１４６は、係止部９９と上下に対称に構成される（図２０参照）。
【００５１】
支持板部１３７，１３８は、三角形状のリブ１４８，１４９によって補強され、支持板１３７，１３８は、セパレータ１２７に垂直に側方に延びる。
【００５２】
図３４は他のセパレータ１２７ａの側面図であり、図３５は図３４に示されるセパレータ１２７ａの正面図である。このセパレータ１２７ａは、前述のセパレータ１２７に類似し、対応する部分には同一の参照符を付す。このセパレータ１２７ａでは、前述のセパレータ１２７における切欠き１３０は形成されず、参照符１５０で示されるように閉じられている。セパレータ１２７ａは、電線および管路が挿通しない場合において、中間収納空間２２を仕切るために用いられる。
【００５３】
図３６は本件収納ユニット１の一部の正面図であり、図３７は図３６の切断面線ＡＶＩＩ−ＡＶＩＩから見た断面図である。この収納ユニット１は、前述の収納ユニット１とは異なる態様で用いられる。収納ユニット１は、電子錠付き収納庫１５１が装着され、病人の貴重品などの小物類を収納しておくことができる。図３８は、収納庫１５１の正面図である。この収納庫１５１は、基本的に、収納庫本体１５２と、電子錠１５３によって開閉可能な蓋体１５４とを含む。収納庫本体１５２は、上下の仕切板１３，１４間の中間収納空間２２に配置され、背面板１２に形成された取付孔１５５を挿通し、壁面１６に形成された凹所１５６に部分的に嵌まり込んで設置される。
【００５４】
図３９は、収納ユニット１の前述とは異なる使用状態を示す正面図であり、図４０は図３９の切断面線Ａ４５−Ａ４５から見た断面図である。この実施の形態は、前述の実施の形態に類似し、特に図２７の実施の形態に類似する。カバー部材２６の透孔１１４に照明部材１１６が取付けられ、光源１１２からの光が外部に放射されて照明が行われる。この実施の形態では、前述の図２７における光源１１１と照明部材１１５とは省略される。そのほかの構成は、前述の実施の形態と同様である。
【００５５】
図４１は、収納ユニット１の一部の正面図である。この収納ユニット１では、パネル１１ａに、医療用ガスを供給し、または真空吸引するための配管の接続端子５ｅが臨む。接続端子５ｅは、パネル１１ａに固定されてもよい。接続端子５ｅは、カバー装置１８１によって覆われ、または露出される。このカバー装置１８１は基本的に、カバー部材１８２と、ホルダ１８３とを含む。カバー装置１８１を構成するカバー部材１８２とホルダ１８３とは、ＡＢＳ樹脂などの合成樹脂材料から成る。セパレータ１２７は、合成樹脂材料から成ってもよく、または金属材料から成ってもよい。
【００５６】
図４２はカバー装置１８１によって接続端子５ｅを覆って全閉状態を示すカバー装置１８１の正面図であり、図４３はカバー装置１８１によって全閉状態とされた接続端子５ｅを含む縦断面図である。フレーム２には、パネル１１ａが着脱可能に取付けられ、接続端子５ｅが臨む。
【００５７】
図４４はパネル１１ａの正面図であり、図４５はパネル１１ａの側面図である。パネル１１ａには、接続端子５ｅの前面が臨む透孔１８４が形成される。この透孔１８４に連なって、ホルダ１８３をパネル１１ａに装着するための装着孔１８５が形成される。パネル１１ａは、これらの透孔１８４および装着孔１８５が形成される装着部１８６が立上り部１８７を経て、下取付部９３および上取付部９４が形成される。パネル１１ａをフレーム２に着脱可能に取付ける構成は、前述の実施の形態と同様である。
【００５８】
図４６はカバー部材１８２の正面図であり、図４７はカバー部材１８２の平面図であり、図４８はカバー部材１８２の底面図であり、図４９はカバー部材１８２の側面図である。これらの図面を参照して、カバー部材１８２は、接続端子５ｅを覆うためのカバー部材本体１８９と、このカバー部材本体１８９の背後に突出したブラケット１９０とを含み、縦の対称面１９１に関して左右対称に構成され、この面対称の構成は、ホルダ１８３に関しても同様である。カバー部材本体１８９は、正面板１９２と、その正面板１９２の両側部で背後に延びる側壁と上板１９４と下板１９５とによって無端状の周壁が形成される。側壁１９３には、ブラケット１９０が一体的に連なる。
【００５９】
図５０は、ブラケット１９０とその付近を拡大して示す側面図であり、図５１は図５０の切断面線Ａ５６−Ａ５６から見た断面図である。ブラケット１９０には、案内ピン１９７が左右に、すなわちフレーム２の長手方向に平行に突出して形成される。案内ピン１９７の軸線は、前述の対称面１９１（図４６参照）に垂直である。このブラケット１９０および側壁１９３には、案内ピン１９７よりも前方（図４９および図５０の左方）に、第１案内部を構成する溝１９８が形成される。溝１９８は、案内ピン１９７の軸線を中心とする円の一部である円弧状に形成される。この溝１９８は、第１凸部を構成する底が浅く隆起して形成された隆起部１９９と、隆起部１９９よりもカバー部材１８２が閉じる方向２００の上流側に形成された全閉保持部２０１とを有する。
【００６０】
図５２は、図５０の円弧状の切断面線Ａ５６−Ａ５６から見た断面図である。溝１９８を構成する全閉保持部２０１は、隆起部１９９よりも深い底を有する。第１凸部である隆起部１９９には、カバー部材１８２が閉じる方向２００の上流側（図５２の左方）に低くなるように、すなわち深くなるように傾斜した傾斜面２０２が形成される。これによって傾斜面２０２に、後述の案内片２０４が図５２の下方に弾発的に当接することによって、このカバー部材１８２には、全閉状態に向かう方向である閉じる方向２００下流側への力が与えられることになる。これによってカバー部材本体１８９による接続端子５ｅの全閉状態に保つことが確実になる。この全閉状態において、案内片２０４は、傾斜面２０２に当接したままであってもよいけれども、図５２に示されるように離間していてもよい。
【００６１】
図５３はホルダ１８３の正面図であり、図５４はホルダ１８３の平面図であり、図５５は図５４の切断面線Ａ６０−Ａ６０から見た断面図であり、図５６は図５５の切断面線Ａ６１−Ａ６１から見た断面図である。ホルダ１８３は基本的に、ホルダ本体２０５と、このホルダ本体前部に形成された全面鍔２０６とを含む。ホルダ本体２０５は、左右両側壁２０７，２０８と、これらの側壁２０７，２０８の上部を連結する連結板２０９とを有し、全体の形状が図５６に明らかに示されるように、略Ｕ字状に形成される。側壁２０７，２０８には、第２案内部を構成する案内孔２１１がそれぞれ形成される。カバー部材１８２の案内ピン１９７は、案内孔２１１に緩やかに嵌まり込み、カバー部材１８２の前方（図５５の左方）および後方（図５５の右方）の移動方向に沿って案内される。
【００６２】
側壁２０７，２０８にはまた、案内孔２１１よりも前方（図５５の左方）で、案内片２０４が相互に対向して突設される。
【００６３】
図５７は図５５のセクションＡ６２の拡大断面図であり、図５８は図５４の切断面線Ａ６３−Ａ６３から見た拡大断面図であり、図５９は図５５の切断面線Ａ６４−Ａ６４から見た断面図である。ホルダ１８３を図４４に示されるパネル１１ａの装着孔１８５に嵌め込んで装着するために、連結板２０９には、左右に一対の取付爪２１３が、スリット２１４によって弾発的に上下に変位可能に、かつ全面鍔から分断されて形成される。取付爪２１３は、図５８に示されるように案内凸部２１５と、この案内凸部２１５から前方（図５８の左方）に比較的急な角度θ１（たとえば３０度）で傾斜する保持面２１６とを有し、さらに全面鍔２０６の背面に対向する端面２１７を有する。保持面２１６と全面鍔２０６の背面との間隔Ｌ１２は、パネル１１ａの厚みＬ１０を超える値であり、全面鍔２０６の背面と端面２１７との間隔Ｌ１１は、前記厚みＬ１０を超える値である（Ｌ１１＞Ｌ１０＞Ｌ１２）。したがって装着孔１８５の上内面１８５ａは、保持面２１６に弾発的に当接し、これによってホルダ１８３がパネル１１ａにがたつきを生じることなく、ぴったりと装着されることができる。
【００６４】
連結板２０９には、図５７に明らかに示されるように、装着溝２１８が形成される。この装着溝２１８の間隔Ｌ１３は、パネル１１ａの厚みＬ１０を超える値である（Ｌ１０＜Ｌ１３）。
【００６５】
図６０（１）はホルダ１８３の側壁２０７の一部の側面図であり、図６０（２）は図６０（１）に示される側壁２０７の底面図である。案内孔２１１の下方には、前面鍔２０６に近づくにつれて隆起した保持突起２２４が形成される。保持突起２２４と前面鍔２０６の背面との間の間隔Ｌ６５は、パネル１１ａの厚みＬ１０を超える値に選ばれる（Ｌ１０＜Ｌ６５）。
【００６６】
図６１はホルダ１８３の案内孔２１１を示す側面図であり、図６２は図５５の切断面線Ａ６７−Ａ６７から見た断面図である。案内孔２１１は前方端２３２から後方（図６１および図６２の右方）に斜め上に傾斜して延び、くびれ部２２５を経て、全開保持部２２６に連なる。全開保持部２２６は、案内孔２２１の前後方向から下方に屈曲する。この屈曲した位置にくびれ部２２５が形成される。案内孔２１１の幅Ｌ２１と全開保持部２２６の幅とは、等しく、案内ピン１９７の外径Ｌ３０を超える値である（Ｌ２１＞Ｌ３０）。これによって案内ピン１９７がくびれ部２２５を通過するとき、ホルダ１８３の弾発的な変形によってクリック感を発生することができる。
【００６７】
図６３は、ラバー装置１８１を組立てる状態を示す簡略化した側面図である。パネル１１ａに形成された装着孔１８５には、ホルダ１８３をその前方（図６３の左方）から後方（図６３の右方）に押込んで嵌め込む。これによってホルダ１８３がパネル１１ａに固定される。その後、カバー部材１８２を矢符２３０で示されるように後方から前方に押込んで装着する。これによってカバー部材１８２とホルダ１８３との合成樹脂の弾発力によって、カバー部材１８２をホルダ１８３に装着することができる。
【００６８】
前述の図５２および図５６を参照して、ホルダ１８３における自然状態での案内片２０４間の間隔をＬ１６とし、側壁２０７，２０８間の間隔をＬ１７とし、カバー部材１８２における一対の隆起部１９９間の自然状態における間隔をＬ１４とし、一対の全閉保持部２０１間の自然状態における間隔をＬ１５とするとき、式（１）〜（３）が成立する。これによって案内片２０４が隆起部１９９に乗り上げてクリック感を発生させることができ、また傾斜面２０２の働きによってカバー部材本体１８９の閉じる方向２００の力を発揮することができる。
Ｌ１４＞Ｌ１５ …（１）
Ｌ１４＞Ｌ１６ …（２）
Ｌ１５＜Ｌ１６ …（３）
【００６９】
案内片２０４は、カバー部材本体１８９の左右両側壁１９３を支持してカバー部材本体１８９が開閉時に落下することを防ぐ。
【００７０】
図６４は、カバー装置１８１のカバー部材１８２を全閉状態から開く操作を説明するための図である。カバー部材１８２のカバー部材本体１８９が、パネル１１に当接して全閉となっている状態は、図６５に拡大して示される。このとき案内ピン１９７は案内孔２１１の前方端２３２に当接している。案内片２０４は、全閉保持部２０１に嵌まり込んでいる。
【００７１】
カバー部材本体１８９を図６４に示されるように開く方向２３１に角変位すると、案内片２０４は隆起部１９９に弾発的に乗り上げて開く方向２３１の開くための大きな力を必要とし、さらに開く方向２３１に角変位すると、案内片２０４は、隆起部１９９から脱出し、鳴音「カチッ」が生じ、クリック感が発生される。このときのカバー部材本体１８９の姿勢は、図６４において参照符１８９ａで示される。カバー部材本体１８９ａを、さらに矢符２３３で示されるように後方に押し込むことによって、案内ピン１９７は、案内孔２１１に案内され、くびれ部２２５に接触する。このくびれ部２２５を案内ピン１９７が通過するとき、ホルダ１８３の弾発力によってクリック感が生じる。カバー部材本体１８９を図６４の参照符１８９ｂで示されるように全閉状態にしたとき、案内ピンは、図６６および図６７に示される状態となって、全開保持部２２６に嵌まり込む。これによってカバー部材１８９が不用意にパネル１１ａの前方に突出することはなく、全開状態を保つことができる。
【００７２】
図６６は、カバー部材本体１８９を全開状態から閉じるときの動作を説明するための簡略化した側面図である。参照符１８９ｂの全開状態にあるカバー部材本体１８９を、矢符２３４のように手前に引き出す。
【００７３】
図６７は、カバー部材本体１８９が全開状態にあるときの状態を示す断面図である。カバー部材本体１８９が全閉状態の姿勢１８９ｂから引き出されるとき、案内ピン１９７は、くびれ部２２５を経て案内孔２１１に導かれる。これによってクリック感が得られる。このときカバー部材本体１８９は参照符１８９ｃで示される姿勢になっている。このカバー部材本体１８９ｃを閉じる方向２００に押すことによって、案内ピン１９７は案内孔２１１を前方（図６７の左方）に移動し、前方端２３２に到達する。そこでさらに、カバー部材本体１８９を閉じる方向２００に押すと、案内片２０４は、溝１９８の隆起部１９９に乗り上げ、さらに押すことによって、案内片２０４は全閉保持部２０１に嵌まり込んで前述の図６５の状態に戻る。案内片２０４が図５２に関連して述べた傾斜面２０２に当接することによって、カバー部材本体１８９が閉じる方向２００に向かう力が作用し、全閉状態が確実に達成される。
【００７４】
以上のように、カバー３に設けられる係止部４７の丸みをおびた係止端部４９には、フレーム２にカバー３を取付けるにあたり、係止爪５９が、この係止端部４９に案内されて係止されることが容易である。係止部４７に係止爪５９が係止した状態において、係止部４７に形成された下制限部５０は、係止爪５９との係止している長さを制限する。したがってカバー３の下部に形成されたたとえば切欠き６４などの隙間６３から係止解除工具６７を用いてカバー３、したがって係止部４７または係止爪５９を弾発的に変形して、係止爪５９と係止部４７との係止状態を解除することが容易である。したがってフレーム２にカバー３が取付けられた状態で、そのフレーム２からカバー３を取外して保守点検を行うことが容易である。
【００７５】
また、本件収納ユニットを治療室および一般病室などの壁面１６に取付けて施工するにあたり、まずフレーム２を壁面１６に取付け、そのフレーム２の支持凹所４３に、カバー３の支持凸部４１を嵌合して支持した状態とし、その後、カバー３の下部を壁面１６に近付くように角変位し、フレーム２の係止爪５９とカバー３の係止部４７とを係止状態とする。こうしてフレーム２にカバー３を取付ける作業が容易である。
【００７６】
保守点検のためにカバー３をフレーム２から取外すにあたっては、ほぼＬ字状の係止解除工具６７を準備し、カバー３の隙間から係止解除工具６７の先端部を挿入し、カバー３の下部を弾発的に変形させて、係止爪５９と係止部４７との係止状態を解除する。したがってカバー３をフレーム２から取外す作業もまた、容易である。
【００７７】
また、背面板１２と上仕切板１３とによって上収納空間２１が形成され、背面板１２と上下の仕切板１３，１４とによって中間収納空間２２が形成され、さらに背面板１２と下仕切板１４とによって下収納空間２３が形成される。たとえば中間収納空間２２に配管配線接続端子を収納するにあたっては、パネル１１に接続端子が予め取付けられる。このパネル１１の下端部を、下仕切板１４の第１前端部７７を取付支持体７９に形成された角変位空間８０内に嵌め込み、このパネル１１の下端部を第１および第２支持部８１，８２で支持して、パネル１１をたとえばほぼ水平な姿勢で保ち、パネル１１の落下を防ぐことができる。
【００７８】
パネル１１を起立状態にしてそのパネル１１の上端部を上仕切板１３の第２前端部８３の保持体８５に、たとえばボルトなどを用いて着脱可能に保持する。これによってパネル１１の下端部は第１前支持部７８に当接し、パネル１１の上端部は第２前支持部８４に当接し、パネル１１がフレーム２に着脱可能に固定される。こうしてパネル１１の着脱を、一人の作業者で容易に行うことができる。
【００７９】
また、パネル１１には医療用配管配線接続端子５が固定され、接続端子５はたとえば前述のように中間収納空間２２に収納され、パネル１１から前方に臨む。接続端子５が設けられないパネル１１には、取付孔が形成されず、フレーム２の中間収納空間２２を閉じたままにする。
【００８０】
また、カバー３が露出する上下の仕切板１３，１４の第１および第２前端部７７，８３の間にわたって横に隣接して複数のパネル１１が配置され、これらのパネル相互間にスペーサ１０２が介在される。このスペーサ１０２は、フレーム２の長手方向である横方向のパネル端面間に介在される突条１０３と、そのパネル１１の背後で突条１０３に連なる側方突片１０４とを有する。したがってパネル１１の相互間に隙間が存在しても、この側方突片１０４によって、外部と中間収納空間２２とが連通することが防がれる。これによってごみなどの侵入を防ぐことができる。
【００８１】
また、スペーサ１０２を上下の仕切板１３，１４の第１および第２前端部７７，８３間にわたって配置し、パネル１１と同様にしてフレーム２に取付けることができ、施工作業が容易である。
【００８２】
また、スペーサ１０２の下端部を下仕切板１４の第１前端部７７に形成された取付支持体７９の角変位空間８０内に嵌め込んで揺動可能とし、このスペーサ１０２の上端部に形成された嵌合片１０７を、上仕切板１３の第２前端部８３に形成された保持体８５の保持用凹溝８６に着脱可能に弾発的に嵌合するので、スペーサ１０２を、パネル１１とともにフレーム２に取付けることが容易である。このスペーサ１０２には、前述のようにパネル１１の背後に側方突片１０４が形成されているので、スペーサ１０２がパネル１１の前方に外れてしまうおそれはない。
【００８３】
また、上下に間隔をあけて背後に突出した一対の突片１０８によって嵌合片１０７が構成され、この突片１０８の弾発力によって上仕切板１３の第２前端部８３に形成された保持体８５の保持用凹溝８６に前述のように嵌合することができる。一対の突片１０８によって、弾発力を適切に得ることができる。スペーサ１０２は、たとえばＡＢＳ樹脂などの合成樹脂材料から成ってもよい。
【００８４】
また、フレーム２の中間収納空間２２を横方向にセパレータ１２７で仕切って、たとえば交流１００Ｖの電源コンセントなどの強電用接続端子５ａと、ナースコールおよびテレビジョン受信機などのための電気信号の弱電用接続端子５ｂとの間を仕切ることができる。またこのセパレータ１２７によって、これらの強電用接続端子５ａと医療用ガスなどの配管用接続端子５ｅとの間を仕切ることができ、さらに弱電用接続端子５ｂと配管用接続端子５ｅとを仕切ることができる。さらに、セパレータ１２７は、フレーム２の横の長手方向に変位して設定可能であるので、フレーム２およびカバー３を共用化し、各種の接続端子をフレーム２に装着し、このような希望する接続端子の装着状態に応じて、セパレータ１２７を用いることができ、施工作業が容易である。
【００８５】
また、セパレータ１２７の下部に切欠き１２９を形成して、強電用または弱電用の電線を挿通し、または医療用ガスなどの流体のための管路を挿通し、中間収納空間２２に敷設することができる。さらにこの電線または管路が挿通する空間を仕切るために、セパレータ片１２８が用いられる。このセパレータ片１２８は、ほぼＬ字状であり、横に隣接するセパレータ１２７の側部に形成された上下一対の挟持片１３１，１３２に、セパレータ片１２８の横に延びる横板１３３の上下の両面が挟持されて取外可能に取付けられる。セパレータ片１２８の縦板１３４によって、切欠き１２９の開放した前端部付近を閉じることができる。こうして中間収納空間２２内を、接続端子が設けられるセパレータ片１２８よりも上方の空間と、配線または管路が挿通される下の空間とを上下に仕切ることができる。
【００８６】
また、セパレータ片１２８の横板１３３を挟持する上下一対の挟持片１３１，１３２のうち、上の挟持片１３１は２つの凸部によってセパレータ片１２８の横板１３３の上面を弾発的に押圧し、前記一対の挟持片１３１，１３２のうち、下の挟持片１３２は、このセパレータ片１２８の横板１３３の下面を支持する。この下の挟持片１３２は、上の挟持片１３１に形成された２つの凸部の前後方向のほぼ中央位置に突設され、たとえばピン状であり、構成の簡略化を図ることができるとともに、２つの凸部でセパレータ片１２８の横板１３３の上面を安定して支持し、下の挟持片１３２との間で支持することができる。
【００８７】
また、セパレータ１２７に形成された支持板部１３７，１３８が、上仕切板１３の下面または下仕切板１４の上面に当接し、これによってセパレータ１２７が上下の仕切板１３，１４に垂直に縦に配置され、セパレータ１２７が倒れてしまうことを防ぐことができる。このセパレータ１２７の支持板部１３７，１３８は、セパレータ１２７の上部と下部との両者に形成されてもよいけれども、上部だけまたは下部だけに形成されてもよい。
【００８８】
また、上仕切板１３または下仕切板１４には、横の長手方向に延びる保持部９９が形成され、この保持部９９に、セパレータ１２７の保持爪１４２が弾発的に係止して保持される。したがってセパレータ１２７が、中間収納空間２２から外れてしまうことがなく、施工作業が容易である。
【００８９】
また、セパレータ１２７の前方端部１４０は、スペーサ１０２の突条１０３の背後に形成された嵌合溝１１０に嵌まり込み、したがってフレーム２の横の長手方向にセパレータ１２７が不所望に変位してしまうおそれがなく、セパレータ１２７を安定してフレーム２に取付けることができる。
【００９０】
また、電子錠付き収納庫１５１が本件収納ユニットの中間収納空間２２に装着される。したがって病人の貴重品などを、収納庫に収納し、盗難などのおそれをなくすことができる。
【００９１】
また、フレーム２の上収納空間２１または下収納空間２３に白熱灯または蛍光灯などの光源１１１，１１２が収納され、この光源からの光は、たとえば合成樹脂などの透光性材料から成る照明部材１１５，１１６を経て治療室または一般病室を照明することができる。この照明部材１１５，１１６のたとえば背後の壁面側の一端部は、カバー３を構成するカバー部材２５，２６の内面に形成された嵌入溝５１に嵌入され、照明部材１１５，１１６のたとえば前方の他端部１１９は、タッピングビス１２０を用いて、カバー部材２５，２６の内面の固定用溝１２１に螺着される。これによってカバー部材２５，２６に照明部材１１５，１１６を装着する作業が極めて容易である。
【００９２】
しかも、タッピングビス１２０が螺着されて固定される固定用溝１２１は、カバー部材２５，２６に、横の長手方向に延びて形成される。したがってこの固定用溝１２１の希望する場所で照明部材１１５，１１６を、タッピングビス１２０を用いて、取付けることができ、組立作業が容易であり、めねじなどの刻設作業などを必要としない。
【００９３】
本発明に従えば、照明部材１１６の前記一端部を嵌入して保持する嵌入溝５１は、カバー部材２６と、係止爪５９の係止状態を制限する下制限部５０とによって形成される。これによってカバー部材２６の構成の簡略化を図ることができる。
【００９４】
【発明の効果】
本発明によれば、フレームへのカバーの取付作業が容易になるとともに、先行技術におけるビス止めの構成に比べて構成要素の数を低減することができ、現場での施工作業が容易になり、組立工数を低減することができる。
【００９５】
係止爪と係止部との相互の離間によって、その係止状態を容易に解除することができ、これによって保守点検作業が容易である。
【００９６】
フレームの上部に形成された支持凹所に、カバーの上部の支持凸部を嵌合して支持し、したがってたとえば病室などの壁面に予め取付けられたフレームにカバーを容易に支持し、これによって一人の作業者で施工作業を容易に行うことができる。
【００９７】
さらにカバーの下部を、壁面から前方に変位して揺動可能であるので、フレームに取付けてある係止爪とカバーの係止部とを係止する作業が可能であり、またその係止状態の解除が容易であり、カバーをフレームから取外す保守点検時の作業も容易となる。
【００９８】
カバーは上下一対のカバー部材と、左右一対の側板が枠状に組合わされて構成され、現場でフレームに取付けられるので、施工作業が容易である。
【００９９】
側板に支持凸部が形成され、この支持凸部がフレームの支持凹所に嵌合してカバーがフレームに支持される。したがってフレームにカバーを装着する作業性が簡略化される。
本発明によれば、フレームにカバーを取付ける作業が容易である。またカバーをフレームから取外す作業もまた、容易である。
パネルの着脱を、一人の作業者で容易に行うことができる。
【図面の簡単な説明】
【図１】本発明の実施の一形態の全体の構成を簡略化して示す斜視図である。
【図２】図１に示される医療用配管配線接続端子収納ユニット１の正面図である。
【図３】図１に示される収納ユニット１の縦断面図である。
【図４】カバー３の分解した状態を示す正面図である。
【図５】カバー３の内方から見た側板２８の正面図である。
【図６】図５の切断面線ＶＩ−ＶＩから見た断面図である。
【図７】図５の切断面線ＶＩＩ−ＶＩＩから見た断面図である。
【図８】図５の切断面線ＶＩＩＩ−ＶＩＩＩから見た断面図である。
【図９】図５の切断面線ＩＸ−ＩＸから見た断面図である。
【図１０】側板２８に形成される支持凸部４１の拡大正面図である。
【図１１】図１０の切断面線ＸＩ−ＸＩから見た断面図である。
【図１２】カバー部材２６の側面図である。
【図１３】図１２のセクションＸＩＩＩの拡大側面図でる。
【図１４】図１２のセクションＸＩＶの拡大側面図である。
【図１５】フレーム２の下部に設けられる係止爪部材５２の側面図である。
【図１６】係止爪部材５２の正面図である。
【図１７】フレーム２およびカバー３の構成を示す斜視図である。
【図１８】カバー３をフレーム２に取付けて施工し、または保守点検のためにカバー３をフレーム２から取外す状態を示す断面図である。
【図１９】下仕切板１４の拡大した側面図である。
【図２０】上仕切板１３の拡大側面図である。
【図２１】上仕切板１３の保持体８５に形成された保持用凹溝８６に収納されるナット８９と介在片９０とを示す斜視図である。
【図２２】下仕切板１４の図９におけるセクションＸＩＩの拡大側面図である。
【図２３】スペーサ１０２の側面図である。
【図２４】図２４（１）はスペーサ１０２の正面図であり、図２４（２）はスペーサ１０２の底面図であり、図２４（３）は図２４（１）の切断面線Ａ２４−Ａ２４から見た断面図である。
【図２５】スペーサ１０２の背面図である。
【図２６】スペーサ１０２の上端部１０６に形成された嵌合片１０７の拡大した側面図である。
【図２７】本件収納ユニット１の縦断面図である。
【図２８】フレーム２とその付近を示す斜視図である。
【図２９】フレーム２とその付近の構成を示す縦断面図である。
【図３０】セパレータ１２７の側面図である。
【図３１】セパレータ１２７の正面図である。
【図３２】セパレータ１２７の平面図である。
【図３３】図３０のセクションＡ３３の拡大側面図である。
【図３４】他のセパレータ１２７ａの側面図である。
【図３５】図３４に示されるセパレータ１２７ａの正面図である。
【図３６】本件収納ユニット１の一部の正面図である。
【図３７】図３６の切断面線ＡＶＩＩ−ＡＶＩＩから見た断面図である。
【図３８】収納庫１５１の正面図である。
【図３９】収納ユニット１の前述とは異なる使用状態を示す正面図である。
【図４０】図３９の切断面線Ａ４５−Ａ４５から見た断面図である。
【図４１】収納ユニット１の一部の正面図である。
【図４２】カバー装置１８１によって接続端子５ｅを覆って全閉状態を示すカバー装置１８１の正面図である。
【図４３】カバー装置１８１によって全閉状態とされた接続端子５ｅを含む縦断面図である。
【図４４】パネル１１ａの正面図である。
【図４５】パネル１１ａの側面図である。
【図４６】カバー部材１８２の正面図である。
【図４７】カバー部材１８２の平面図である。
【図４８】カバー部材１８２の底面図である。
【図４９】カバー部材１８２の側面図である。
【図５０】ブラケット１９０とその付近を拡大して示す側面図である。
【図５１】図５０の切断面線Ａ５６−Ａ５６から見た断面図である。
【図５２】図５０の円弧状の切断面線Ａ５６−Ａ５６から見た断面図である。
【図５３】ホルダ１８３の正面図である。
【図５４】ホルダ１８３の平面図である。
【図５５】図５４の切断面線Ａ６０−Ａ６０から見た断面図である。
【図５６】図５５の切断面線Ａ６１−Ａ６１から見た断面図である。
【図５７】図５５のセクションＡ６２の拡大断面図である。
【図５８】図５４の切断面線Ａ６３−Ａ６３から見た拡大断面図である。
【図５９】図５５の切断面線Ａ６４−Ａ６４から見た断面図である。
【図６０】図６０（１）はホルダ１８３の側壁２０７の一部の側面図であり、図６０（２）は図６０（１）に示される側壁２０７の底面図である。
【図６１】ホルダ１８３の案内孔２１１を示す側面図である。
【図６２】図５５の切断面線Ａ６７−Ａ６７から見た断面図である。
【図６３】ラバー装置１８１を組立てる状態を示す簡略化した側面図である。
【図６４】カバー装置１８１のカバー部材１８２を全閉状態から開く操作を説明するための図である。
【図６５】カバー部材１８２のカバー部材本体１８９がパネル１１に当接して全閉となっている状態を拡大して示す図である。
【図６６】カバー部材本体１８９を全開状態から閉じるときの動作を説明するための簡略化した側面図である。
【図６７】カバー部材本体１８９が全開状態にあるときの状態を示す断面図である。
【符号の説明】
１  医療用配管配線接続端子収納ユニット
２  フレーム
３  カバー
５  接続端子
７  カバー装置
１１  パネル
１２  背面板
１３  上仕切板
１４  下仕切板
１６  壁面
２１  上収納空間
２２  中間収納空間
２３  下収納空間
２５，２６  カバー部材
２７  第２対称面
２８，２９  側板
４１  支持凸部
４２  挟持溝
４３  支持凹所
４７  係止部
４９  係止端部
５０  下制限部
５１  嵌入溝
５２  係止爪部材
５９  係止爪
６０  係止面
６３  隙間
６４  切欠き
６７  係止解除工具
６９  基端部
７０  屈曲部
７７  第１前端部
７８  第１前支持部
７９  取付支持体
８０  角変位空間
８１  第１支持部
８２  第２支持部
８３  第２前端部
８４  第２前支持部
８５  保持体
８６  保持用凹溝
８８  抜止め部
９９  保持部
１００  係止端部
１０２  スペーサ
１０３  突条
１０４  側方突片
１０５  下端部
１０６  上端部
１０７  嵌合片
１０８  突片
１１０  嵌合溝
１１１，１１２  光源
１１５，１１６  照明部材
１２０  タッピングビス
１２１  固定用溝
１２４  支持突起
１２７  セパレータ
１２８  セパレータ片
１２９  電線
１３０  切欠き
１３１，１３２  挟持片
１３３  横板
１３４  縦板
１３７，１３８  支持板部
１４２，１４５  保持爪
１４６  保持部
１５１  収納庫
１５３  電子錠
１５４  蓋体
１８１  カバー装置
１８２  カバー部材
１８３  ホルダ
１８５  装着孔
１８９  カバー部材本体
１９０  ブラケット
１９２  正面板
１９３  側壁
１９４  上板
１９５  下板
１９７  案内ピン
１９８  溝
１９９  隆起部
２００  閉じる方向
２０１  全閉保持部
２０２  傾斜面
２０４  案内片
２０５  ホルダ本体
２０６  全面鍔
２１１  案内孔
２１５  案内凸部
２１６  保持面
２２５  くびれ部
２２６  全開保持部
【図１】
0004105310.tif 000002
【図２】
0004105310.tif 000003
【図３】
0004105310.tif 000004
【図４】
0004105310.tif 000005
【図５】
0004105310.tif 000006
【図６】
0004105310.tif 000007
【図７】
0004105310.tif 000008
【図８】
0004105310.tif 000009
【図９】
0004105310.tif 000010
【図１０】
0004105310.tif 000011
【図１１】
0004105310.tif 000012
【図１２】
0004105310.tif 000013
【図１３】
0004105310.tif 000014
【図１４】
0004105310.tif 000015
【図１５】
0004105310.tif 000016
【図１６】
0004105310.tif 000017
【図１７】
0004105310.tif 000018
【図１８】
0004105310.tif 000019
【図１９】
0004105310.tif 000020
【図２０】
0004105310.tif 000021
【図２１】
0004105310.tif 000022
【図２２】
0004105310.tif 000023
【図２３】
0004105310.tif 000024
【図２４】
0004105310.tif 000025
【図２５】
0004105310.tif 000026
【図２６】
0004105310.tif 000027
【図２７】
0004105310.tif 000028
【図２８】
0004105310.tif 000029
【図２９】
0004105310.tif 000030
【図３０】
0004105310.tif 000031
【図３１】
0004105310.tif 000032
【図３２】
0004105310.tif 000033
【図３３】
0004105310.tif 000034
【図３４】
0004105310.tif 000035
【図３５】
0004105310.tif 000036
【図３６】
0004105310.tif 000037
【図３７】
0004105310.tif 000038
【図３８】
0004105310.tif 000039
【図３９】
0004105310.tif 000040
【図４０】
0004105310.tif 000041
【図４１】
0004105310.tif 000042
【図４２】
0004105310.tif 000043
【図４３】
0004105310.tif 000044
【図４４】
0004105310.tif 000045
【図４５】
0004105310.tif 000046
【図４６】
0004105310.tif 000047
【図４７】
0004105310.tif 000048
【図４８】
0004105310.tif 000049
【図４９】
0004105310.tif 000050
【図５０】
0004105310.tif 000051
【図５１】
0004105310.tif 000052
【図５２】
0004105310.tif 000053
【図５３】
0004105310.tif 000054
【図５４】
0004105310.tif 000055
【図５５】
0004105310.tif 000056
【図５６】
0004105310.tif 000057
【図５７】
0004105310.tif 000058
【図５８】
0004105310.tif 000059
【図５９】
0004105310.tif 000060
【図６０】
0004105310.tif 000061
【図６１】
0004105310.tif 000062
【図６２】
0004105310.tif 000063
【図６３】
0004105310.tif 000064
【図６４】
0004105310.tif 000065
【図６５】
0004105310.tif 000066
【図６６】
0004105310.tif 000067
【図６７】
0004105310.tif 000068